(57)【要約】【課題】ランドセルの内面が汚れることを防止可能な袋を提供する。【解決手段】本考案の袋２０は、ランドセル内に収容されるものである。袋２０は、ポリエステル、ナイロン、或いは綿からなる生地を用いて形成された袋本体２１を備える。袋本体２１は、前後方向に相対する前面部２５及び後面部２６と、左右方向に相対する一対の側面部２７，２７とが、底面部２８の外縁から上方に延びているものであって、底面部２８を底とし、前面部２５、後面部２６、一対の側面部２７，２７に囲まれる内部空間Ｎを有する。【選択図】図２
0003214833.tif 000002
【実用新案登録請求の範囲】
【請求項１】
ランドセルの内部に収容される袋であって、
ポリエステル、ナイロン、或いは綿からなる生地を用いて形成されている袋本体を備え、
前記袋本体は、前後方向に相対する前面部及び後面部と、左右方向に相対する一対の側面部とが、底面部の外縁から上方に延びているものであって、前記底面部を底とし、前記前面部、前記後面部、前記一対の側面部に囲まれる内部空間を有する袋。
【請求項２】
前記袋本体の上下方向の高さは、27ｃｍ以上32ｃｍ以下であり、
前記袋本体の左右方向の幅は、24ｃｍ以上33ｃｍ以下であり、
前記袋本体の前後方向の幅は、10ｃｍ以上15ｃｍである請求項１に記載の袋。
【請求項３】
ポリエステル、ナイロン、合成皮革、或いは綿からなる生地を用いて形成されている一対の持ち手をさらに備え、
前記一対の持ち手は、それぞれ帯状を呈するものであって、一方の前記持ち手は、その一端及び他端が前記前面部の上端に固定され、他方の前記持ち手は、その一端及び他端が前記後面部の上端に固定されている請求項１又は２に記載の袋。
【請求項４】
前記一対の持ち手は、35ｃｍ以上38ｃｍ以下の長さを有する請求項３に記載の袋。
【請求項５】
前記袋本体は、ポリエステル、ナイロン、或いは綿からなる表地及び裏地を用いて、前記前面部、前記後面部、及び前記一対の側面部が形成されたものであり、
前記表地及び前記裏地のうち、少なくとも一方における裏面は、ＰＶＣコーティングされている請求項１乃至４のいずれかに記載の袋。
【請求項６】
樹脂材料或いはボール紙から形成されている板状の芯材をさらに備え、
前記袋本体は、ポリエステル、ナイロン、或いは綿からなる表地及び裏地を用いて、前記前面部、前記後面部、及び前記一対の側面部が形成されたものであり、
前記芯材は、前記表地と前記裏地との間に固定されていることを特徴とする請求項１乃至４のいずれかに記載の袋。
【請求項７】
前記袋本体の内部空間を仕切るために前記内部空間に配置される間仕切りボードをさらに備え、
前記間仕切りボードは、樹脂材料或いはボール紙から形成されている板材を備え、
前記間仕切りボードの左右方向の幅は、前記袋本体の内部空間の左右方向の幅と一致する請求項１乃至６のいずれかに記載の袋。
【請求項８】
前記板材は、前記樹脂材料としてのポリエチレンの発泡シートから形成されている請求項７に記載の袋。
【請求項９】
前記間仕切りボードの上下方向の高さは、前記袋本体の内部空間の上下方向の高さと一致する請求項７又は８に記載の袋。
【請求項１０】
前記間仕切りボードは、前記板材の全体或いは一部を覆う袋材を備え、
前記袋材の外面には、物品を収容するためのポケットが少なくとも１つ設けられている請求項７乃至９のいずれかに記載の袋。
【請求項１１】
前記ポケットとして、シートを用いて形成されたポケットを備え、
前記シートは、外周の一部が前記袋材に接合され、外周の残部が前記袋材に接合されていないものであって、
前記外周の残部側から、前記シートの内面と前記袋材の外面との間に物品を入れることが可能である請求項１０に記載の袋。
【請求項１２】
前記ポケットとして、前記シートが矩形を呈するポケットを備え、
前記シートは、下辺と左辺と右辺とが、前記袋材に接合されて、上辺が前記袋材に接合されないものであって、
前記上辺側から、前記シートの内面と前記袋材の外面との間に物品を入れることが可能である請求項１１に記載の袋。
【請求項１３】
前記シートが矩形を呈するポケットとして、前記シートの左右方向の中間部も、前記袋材の外面に接合されているポケットを備える請求項１１又は１２に記載の袋。
【請求項１４】
前記シートの上側に配置されるゴムバンドを備え、
前記ゴムバンドは、左右方向に間隔をあけた複数の箇所で前記袋材の外面に接合されている請求項１１乃至１３のいずれかに記載の袋。
【請求項１５】
前記シートを用いて形成されたポケットとして、前記シートの材料が透明な塩化ビニールであるポケットを備える、請求項１１乃至１４のいずれかに記載の袋。
【請求項１６】
請求項１乃至１５のいずれかに記載の袋が内部に収容されるランドセル。
【考案の詳細な説明】
【技術分野】
【０００１】
本考案は、ランドセル用の袋、及び当該袋を備えるランドセルに関する。
【背景技術】
【０００２】
小学生が通学時に背負うランドセルでは、文房具や弁当など多種多様な物品が入れられることで、掃除しがたい汚れがランドセルの内面に付着することがある。例えば、ランドセル内に入れた筆箱から鉛筆やボールペンが飛び出すことで、鉛筆の芯やボールペンのインクが、ランドセルの内面に付着することがある。またランドセル内に入れた弁当から汁がこぼれることで、汁がランドセルの内面に付着することもある。そしてこれらの汚れが除去し難いことで、汚れが除去されないまま放置されて、年数を重ねるごとにランドセル内面の汚れが増すことが多々生じている。
【考案の概要】
【考案が解決しようとする課題】
【０００３】
本考案は、上記の問題に着目してなされたものであり、ランドセルの内面が汚れることを防止可能な袋、及び当該袋を備えたランドセルを提供することを目的とする。
【課題を解決するための手段】
【０００４】
上記目的を達成するため、本考案は、次の項に記載の主題を包含する。
【０００５】
項１．ランドセルの内部に収容される袋であって、
ポリエステル、ナイロン、或いは綿からなる生地を用いて形成されている袋本体を備え、
前記袋本体は、前後方向に相対する前面部及び後面部と、左右方向に相対する一対の側面部とが、底面部の外縁から上方に延びているものであって、前記底面部を底とし、前記前面部、前記後面部、前記一対の側面部に囲まれる内部空間を有する袋。
【０００６】
項２．前記袋本体の上下方向の高さは、27ｃｍ以上32ｃｍ以下であり、
前記袋本体の左右方向の幅は、24ｃｍ以上33ｃｍ以下であり、
前記袋本体の前後方向の幅は、10ｃｍ以上15ｃｍである項１に記載の袋。
【０００７】
項３．ポリエステル、ナイロン、合成皮革、或いは綿からなる生地を用いて形成されている一対の持ち手をさらに備え、
前記一対の持ち手は、それぞれ帯状を呈するものであって、一方の前記持ち手は、その一端及び他端が前記前面部の上端に固定され、他方の前記持ち手は、その一端及び他端が前記後面部の上端に固定されている項１又は２に記載の袋。
【０００８】
項４．前記一対の持ち手は、35ｃｍ以上38ｃｍ以下の長さを有する項３に記載の袋。
【０００９】
項５．前記袋本体は、ポリエステル、ナイロン、或いは綿からなる表地及び裏地を用いて、前記前面部、前記後面部、及び前記一対の側面部が形成されたものであり、
前記表地及び前記裏地のうち、少なくとも一方における裏面は、ＰＶＣコーティングされている項１乃至４のいずれかに記載の袋。
【００１０】
項６．樹脂材料或いはボール紙から形成されている板状の芯材をさらに備え、
前記袋本体は、ポリエステル、ナイロン、或いは綿からなる表地及び裏地を用いて、前記前面部、前記後面部、及び前記一対の側面部が形成されたものであり、
前記芯材は、前記表地と前記裏地との間に固定されていることを特徴とする項１乃至４のいずれかに記載の袋。
【００１１】
項７．前記袋本体の内部空間を仕切るために前記内部空間に配置される間仕切りボードをさらに備え、
前記間仕切りボードは、樹脂材料或いはボール紙から形成されている板材を備え、
前記間仕切りボードの左右方向の幅は、前記袋本体の内部空間の左右方向の幅と一致する項１乃至６のいずれかに記載の袋。
【００１２】
項８．前記板材は、前記樹脂材料としてのポリエチレンの発泡シートから形成されている項７に記載の袋。
【００１３】
項９．前記間仕切りボードの上下方向の高さは、前記袋本体の内部空間の上下方向の高以上とされる項７又は８に記載の袋。
【００１４】
項１０．前記間仕切りボードは、前記板材の全体或いは一部を覆う袋材を備え、
前記袋材の外面には、物品を収容するためのポケットが少なくとも１つ設けられている項７乃至９のいずれかに記載の袋。
【００１５】
項１１．前記ポケットとして、シートを用いて形成されたポケットを備え、
前記シートは、外周の一部が前記袋材に接合され、外周の残部が前記袋材に接合されていないものであって、
前記外周の残部側から、前記シートの内面と前記袋材の外面との間に物品を入れることが可能である項１０に記載の袋。
【００１６】
項１２．前記ポケットとして、前記シートが矩形を呈するポケットを備え、
前記シートは、下辺と左辺と右辺とが前記袋材に接合されて、上辺が前記袋材に接合されないものであって、
前記上辺側から、前記シートの内面と前記袋材の外面との間に物品を入れることが可能である項１１に記載の袋。
【００１７】
項１３．前記シートが矩形を呈するポケットとして、前記シートの左右方向の中間部も、前記袋材の外面に接合されているポケットを備える項１１又は１２に記載の袋。
【００１８】
項１４．前記シートの上側に配置されるゴムバンドを備え、
前記ゴムバンドは、左右方向に間隔をあけた複数の箇所で前記袋材の外面に接合されている項１１乃至１３のいずれかに記載の袋。
【００１９】
項１５．前記シートを用いて形成されたポケットとして、前記シートの材料が透明な塩化ビニールであるポケットを備える、項１１乃至１４のいずれかに記載の袋。
【００２０】
項１６．項１乃至１５のいずれかに記載の袋が内部に収容されるランドセル。
【考案の効果】
【００２１】
本考案によれば、ランドセルの内面が汚れることを防止可能である。
【図面の簡単な説明】
【００２２】
【図１】本考案の実施形態に係るランドセルを示す斜視図である。
【図２】本考案の実施形態に係る袋を示す斜視図である。
【図３】本考案の実施形態に係る袋を示す正面図である。
【図４】本考案の実施形態に係る袋を前後方向に切断した状態を示す断面図である。
【図５】間仕切りボードを示す斜視図である。
【図６】（ａ）は間仕切りボードの正面図であり、（ｂ）は間仕切りボードの裏面図である。
【図７】間仕切りボードを前後方向に切断した状態を示す断面図である。
【考案を実施するための形態】
【００２３】
以下、本考案の実施形態について図面を参照しつつ説明する。図１は、本考案の実施形態に係るランドセル１を示す斜視図である。
【００２４】
図１に示すランドセル１は、収容部２や、蓋部３や、一対のバンド４，４を備えている。収容部２は、前壁５、後壁６、左壁７、右壁８、及び底壁９を備えている。底壁９は、矩形状を呈しており、底壁９の外縁を構成する４辺のうち、相対する２辺から前壁５及び後壁６が上方に延び、相対する他の２辺から左壁７及び右壁８が上方に延びる。本考案では、前壁５と後壁６とが相対する方向を前後方向と記し、左壁７と右壁８とが相対する方向を左右方向と記す。
【００２５】
収容部２は、底壁９に対向する面（上面）に開口を有しており、当該開口から収容部２の内部に物品を収容できる。収容部２の内部とは、底壁９を底とし、前壁５、後壁６、左壁７、及び右壁８に囲まれる空間である。
【００２６】
蓋部３は、後壁６の上縁から延設されており、収容部２の上面の開口を覆うことができる。一対のバンド４，４は、ランドセル１の背面に付設されている。小学生等のユーザーは、自身の両腕をバンド４，４と後壁６との間に通すことで、ランドセル１を背負うことができる。
【００２７】
本実施形態では、ランドセル１の内面（収容部２の内面）に汚れが付着することを防止するために、袋２０が使用される。すなわち、教材や文房具や弁当等の物品（図示せず）は袋２０内（後述の袋本体２１の内部空間Ｎ）に入れられて、当該物品が入れられた袋２０が、ランドセル１の内部（収容部２の内部）に収容される。本考案において「袋がランドセルの内部に収容される」とは、「本考案の袋の少なくとも袋本体がランドセルの内部に収容されること」を意味し、その意味するところに、「袋の全体が完全にランドセルの内部に収容されない場合」も包含される（図１では、後述の袋本体２１や間仕切りボード２４がランドセル１の内部に収容され、後述の持ち手２３，２３がランドセル１の内部に収容されていない状態が示されているが、このような状態も、「袋がランドセルの内部に収容される」ことに該当する。以下、袋２０について説明する。
【００２８】
図２は、本考案の実施形態に係る袋２０を示す斜視図である。図３は、本考案の実施形態に係る袋２０を示す正面図である。図４は、本考案の実施形態に係る袋２０を前後方向に切断した状態を示す断面図である。
【００２９】
図２〜図４に示すように、袋２０は、袋本体２１と、芯材２２（図３，図４）と、一対の持ち手２３，２３と、間仕切りボード２４（図２，図４）と、帯材３３とを備えている。
【００３０】
袋本体２１は、前後方向に相対する前面部２５及び後面部２６と、左右方向に相対する一対の側面部２７，２７とが、矩形の底面部２８の外縁（底面部２８の４辺）から上方に延びるものである。袋本体２１は、底面部２８に対向する面（上面）が開口とされており、当該開口から袋本体２１の内部空間Ｎに、教材や文房具や弁当等の物品を入れることができる。袋本体２１の内部空間Ｎとは、底面部２８を底とし、前面部２５、後面部２６、及び一対の側面部２７，２７に囲まれる空間である。
【００３１】
袋本体２１を構成する前面部２５・後面部２６・一対の側面部２７，２７は、ポリエステル、ナイロン、或いは綿からなる生地を用いて形成される。具体的には、図４に示すように、袋本体２１（前面部２５・後面部２６・一対の側面部２７，２７）は、表地３１や裏地３２を用いて形成されており、表地３１や裏地３２として、ポリエステル、ナイロン、或いは綿から形成された不織布や織物を使用できる。表地３１の裏面（裏地３２側の面）には、防水加工として、ＰＶＣ（polyvinyl chloride：ポリ塩化ビニル）コーティングが施されている。
【００３２】
好ましくは、袋本体２１は、上下方向の高さＬ１（図２）が27ｃｍ以上32ｃｍ以下とされ、左右方向の幅Ｌ２が24ｃｍ以上33ｃｍ以下とされ、前後方向の幅Ｌ３が10ｃｍ以上15ｃｍ以下とされる。以上のように袋本体２１の寸法が調整されることで、袋本体２１を一般的なランドセル１の内部に円滑に入れることができる。なお袋本体２１の形状がランドセル１の内部に適合するように袋本体２１の寸法（高さＬ１や幅Ｌ２，Ｌ３）が調整されることが好ましい。このようにすれば、ランドセル１内の空間を、物品の収容空間として最大限使用できる。
【００３３】
芯材２２（図３，図４）は、袋本体２１の形状を維持し、袋本体２１の強度を高めるために設けられる。芯材２２は、樹脂材料或いはボール紙から形成されて板状を呈するものであって、表地３１と裏地３２との間に配置されて、表地３１に固定される。この芯材２２の固定は、縫合によって行われる。なお、芯材２２を形成するために使用される樹脂材料として、ベルボーレンと称されるポリエチレンの発泡シートや、合成繊維から形成された板材を使用できる。
【００３４】
図示の例では、芯材２２が、前面部２５を構成する表地３１と裏地３２との間や、後面部２６を構成する表地３１と裏地３２との間に配置されることで、袋本体２１の左右方向の変形が防止される。なお袋本体２１の前後方向の変形を防止するために、側面部２７，２７を構成する表地３１と裏地３２との間に芯材２２が配置されてもよい。また図４に示すように、袋本体２１の上端近傍に芯材２２を配置すれば、袋本体２１の上面の開口が広がった状態を維持できるので、当該開口から内部空間Ｎに物品を入れることが容易となる。
【００３５】
なお芯材２２の寸法は、設置箇所等に応じて適宜調整される。図４に示すように、芯材２２が前面部２５や後面部２６に設けられる場合には、芯材２２の上下方向の高さは4ｃｍ以上30ｃｍ以下とされ、芯材２２の左右方向の幅は19ｃｍ以上24ｃｍ以下とされ、芯材２２の前後方向の厚さは0.3ｃｍ以上1ｃｍ以下とされることが好ましい。
【００３６】
一対の持ち手２３，２３は、ポリエステル、ナイロン、合成皮革、或いは綿からなる生地を用いて形成される。持ち手２３，２３は、帯状を呈しており、一方の持ち手２３は、その一端及び他端が前面部２５の上端に固定され、他方の持ち手２３は、その一端及び他端が後面部２６の上端に固定される。持ち手２３，２３の長さＬ４（図２）は、例えば35ｃｍ以上38ｃｍ以下とされ、前面部２５や後面部２６への持ち手２３，２３の固定は、縫合によって行われる。また持ち手２３，２３の中央には、ナイロン等からなる滑り止め２３０が縫い付けられる。
【００３７】
帯材３３は、表地３１や裏地３２と同様、ポリエステル、ナイロン、或いは綿からなる生地を用いて形成されたものであり、左右方向に延びるように、表地３１と裏地３２との間に配置される。図示の例では、表地３１、持ち手２３の一端及び他端、芯材２２、帯材３３が、この順序で重ね合わされて縫合されることで、持ち手２３や芯材２２や帯材３３が固定される。
【００３８】
図５は、間仕切りボード２４を示す斜視図である。図６（ａ）は間仕切りボード２４の正面図であり、図６（ｂ）は間仕切りボード２４の裏面図である。図７は、間仕切りボード２４を前後方向に切断した状態を示す断面図である（図７では、間仕切りボード２４の構成を明確に示すために、間仕切りボード２４の前後方向の幅を拡大して示している）。
【００３９】
間仕切りボード２４は、袋本体２１の内部空間Ｎに配置されて、内部空間Ｎを仕切るものである。図４〜図７に示すように、間仕切りボード２４は、板材４０と袋材４１とから構成される（板材４０については図４，図７参照）。板材４０は、樹脂材料或いはボール紙から形成される。なお板材４０は、柔軟に曲がるが折れにくく強度があり、軽い樹脂材料から形成されることが好ましく、当該樹脂材料として、例えばベルボーレンと称されるポリエチレンの発泡シートを使用できる。袋材４１は、板材４０の全体を覆うものであって、例えばナイロンから形成される。なお袋材４１は、板材４０の一部のみを覆うものであってもよい（（例えば袋材４１は板材４０の下部のみ覆うものであってもよい）。。
【００４０】
間仕切りボード２４の左右方向の幅は、袋本体２１の内部空間Ｎの左右方向の幅と一致する。間仕切りボード２４が内部空間Ｎに配置された状態では、間仕切りボード２４が内部空間の左右方向の幅全体に延びることで、内部空間Ｎは２つの空間Ｎ１，Ｎ２に仕切られる。また間仕切りボード２４が内部空間Ｎの左右方向の幅全体に延びることで、袋本体２１の上面の開口が左右方向に広がった状態が維持される。
【００４１】
また好ましくは、間仕切りボード２４の上下方向の高さは、袋本体２１の内部空間Ｎの上下方向の高さの同等以上とされる。このようにすれば、間仕切りボード２４を内部空間Ｎに配置することで、袋本体２１が上下方向に延びた状態が維持される。
【００４２】
また図６や図７に示すように、袋材４１の外面には、物品を収容するためのポケットＰ１〜Ｐ５が設けられる（ポケットＰ１，Ｐ２，Ｐ３は袋材４１の正面に設けられ、ポケットＰ４，Ｐ５は袋材４１の裏面に設けられる）。ポケットＰ１〜Ｐ５は、それぞれシートＳ１〜Ｓ５を用いて形成される。
【００４３】
ポケットＰ１〜Ｐ４では、シートＳの外周の一部Ｓａ，Ｓｂ，Ｓｃが袋材４１に接合され、シートＳの外周の残部Ｓｄが袋材４１に接合されていない。これにより、ポケットＰ１〜Ｐ４では、残部Ｓｄ側から、シートＳの内面と袋材４１の外面との間に物品を入れることができる（ポケットＰ１〜Ｐ４は、シートＳと、当該シートＳに対向する袋材４１の範囲とから構成されるものである）。
【００４４】
ポケットＰ５では、シートＳ５の外周の一部Ｓａ，Ｓｂ，Ｓｃが、シートＳ４に接合され、シートＳ５の外周の残部ＳｄがシートＳ４に接合されていない。これにより、ポケットＰ５では、残部Ｓｄ側から、シートＳ５の内面とシートＳ４の外面との間に物品を入れることができる（ポケットＰ５は、シートＳ５と、当該シートＳ５に対向するシートＳ４の範囲とから構成されるものである）。
【００４５】
より具体的には、ポケットＰ１〜Ｐ５は、いずれも矩形のシートＳを用いて形成されている。そしてポケットＰ１〜Ｐ４では、シートＳの下辺Ｓａ・左辺Ｓｂ・右辺Ｓｃが袋材４１に接合されて、シートＳの上辺Ｓｄが袋材４１に接合されないことで、上辺Ｓｄ側から、シートＳと袋材４１との間に物品を入れることができる。
【００４６】
ポケットＰ５では、シートＳ５の下辺Ｓａ・左辺Ｓｂ・右辺ＳｃがシートＳ４に接合されて、シートＳ５の上辺ＳｄがシートＳ４に接合されないことで、上辺Ｓｄ側から、シートＳ５とシートＳ４との間に物品を入れることができる。
【００４７】
またポケットＰ１では、これを構成するシートＳ１が、左右方向の中間箇所Ｓｅでも袋材４１に接合されている。このためポケットＰ１では、シートＳ１と袋材４１との間が２つの空間に区画されており、これら空間の各々に物品を入れることができる。なお袋材４１に接合する中間箇所Ｓｅを複数として、シートＳの内面と袋材４１の外面との間を、２よりも多い空間に区画してもよい。
【００４８】
またポケットＰ２を構成するシートＳ２の上側には、ゴムバンドＧが配置されている。ゴムバンドＧは、左右方向に間隔をあけた複数の箇所Ｇａで袋材４１に接合されている。このゴムバンドＧは、ポケットＰ３に入れる物品を固定するために設けられる。例えば、鉛筆やペンやカッターや定規（以下、鉛筆等）をポケットＰ３に入れる場合には、隣り合う２つの接合箇所Ｇａ，Ｇａの間に鉛筆等の上部を通して、鉛筆等の下部をポケットＰ３に入れることで、鉛筆等を固定できる。なお上記鉛筆等の固定を確認にするために、隣り合う２つの接合箇所Ｇａ，Ｇａの間の間隔Ｋを、２．５ｃｍ以上５ｃｍ以下とすることが好ましい。
【００４９】
またポケットＰ４，Ｐ５では、シートＳ４，Ｓ５が透明な塩化ビニールから形成されることで、ポケットＰ４，Ｐ５に入れた物品を、シートＳ４，Ｓ５の外側から見ることができる。
【００５０】
以上説明した本実施形態の袋２０は、以下のステップＳ１〜ステップＳ６が順次実行することで製造できる。
【００５１】
ステップＳ１：表地３１・裏地３２・芯材２２・持ち手２３，２３・帯材３３の素材を裁縫することで、表地３１・裏地３２・芯材２２・持ち手２３，２３・帯材３３を得る。
ステップＳ２：裏地３２の裏面（表地３１側となる面）に帯材３３を縫い付ける。
ステップＳ３：表地３１、持ち手２３，２３の一端及び他端、芯材２２、及び帯材３３付きの裏地３２を、この順序で重ね合わせる。
ステップＳ４：表地３１、持ち手２３，２３の一端及び他端、芯材２２、及び帯材３３付きの裏地３２を、芯材２２の対角線上や、芯材２２の上辺に沿う線上において、コンピューターミシンを用いて縫い合わせる。
ステップＳ５：芯材２２と、帯材３３付きの裏地３２とを、芯材２２の下辺に沿う線上において、コンピューターミシンを用いて縫い合わせる。以上のステップＳ１〜Ｓ５が行われることで、表地３１と裏地３２とから構成された袋本体２１が得られるとともに、表地３１と裏地３２との間に持ち手２３，２３の一端及び他端や芯材２２が固定された状態になる。
ステップＳ６： 袋本体２１の内部空間Ｎに間仕切りボード２４を配置する。
【００５２】
なお、表地３１、持ち手２３，２３の一端及び他端、芯材２２、及び帯材３３付きの裏地３２を縫い合わせる位置は、上記の芯材２２の対角線や上辺や下辺に沿う線上に限定されず、持ち手２３，２３の一端・他端や芯材２２を表地３１と裏地３２との間に固定可能な種々の位置とされ得る。
【００５３】
本実施形態の袋２０によれば、袋本体２１が前面部２５・後面部２６・側面部２７，２７・底面部２８から構成されることで、袋本体２１の形状をランドセル１の内部（収容部２の内部）の形状に適合させることができる。したがって本実施形態の袋２０は、ランドセル１内に収容する袋として好適に使用できる。
【００５４】
そして本実施形態によれば、教材や文房具や弁当等の物品（図示せず）を入れた袋本体２１が、ランドセル１の内部（収容部２の内部）に入れられる。このため、物品がランドセル１の内面（収容部２の内面）に接することなく、物品をランドセル１内に収容できる。例えば鉛筆を入れた袋本体２１をランドセル１内に入れれば、鉛筆がランドセル１の内面に接することなく、鉛筆をランドセル１内に収容できる。したがって本実施形態の袋２０によれば、ランドセル１の内面に汚れが生じることを防止できる。
【００５５】
また袋本体２１がポリエステルから形成される場合には、ポリエステルの吸湿性が低いことで、袋本体２１に入れた物品から液体がこぼれたとしても、ランドセル１の内面に液体が付着することを防止できる。例えば、袋本体２１に弁当が入れられて、当該弁当から汁がこぼれたとしても、汁が袋本体２１に染み込まないので、汁がランドセル１の内面に付着することを防止できる。したがって、ランドセル１の内面に汚れが生じることを、より確実に防止できる。
【００５６】
また袋本体２１を構成する表地３１の裏面（裏地３２側の面）がＰＶＣコーティングされることで、液体が裏地３２に染み込んだとしても、表地３１には液体が染み込まない。このため確実にランドセル１内面に汚れが生じることを防止できる。なお裏地３２の裏面（表地３１側の面）がＰＶＣコーティングされてもよく、表地３１及び裏地３２の双方の裏面がＰＶＣコーティングされてもよい。
【００５７】
また本実施形態では、ランドセル１から袋２０を取り出せば、ランドセル１内に収容されていた物品を一斉に取り出せるため、物品の取り出しが容易である。また袋２０に持ち手２３，２３が設けられることで、ランドセル１から袋２０を取り出すことを容易に行える。
【００５８】
また本実施形態の袋２０によれば、芯材２２によって袋本体２１の形状が維持されるため、袋本体２１内に物品を入れることや、袋本体２１から物品を取り出すことを容易に行える。
【００５９】
また間仕切りボード２４によって袋本体２１の内部空間Ｎが仕切られることで、袋本体２１に物品を整理して収容できる。
【００６０】
また間仕切りボード２４が内部空間Ｎの左右方向の幅全体に延びることで、袋本体２１の上面の開口が左右方向に広がった状態が維持される。この点からも、袋本体２１内への物品の出し入れが容易になる。
【００６１】
さらに上記のように間仕切りボード２４が内部空間Ｎの左右方向の幅全体に延びることで、間仕切りボード２４がランドセル１の左右方向の変形を抑止する突っ張りとして機能する。したがってランドセル１の左右方向の変形を防止できる。なお間仕切りボード２４は、内部空間Ｎの前後方向の幅全体に延びるものであってもよい。このようにすれば、袋本体２１の開口が前後方向に広がった状態が維持されることで、袋本体２１内への物品の出し入れが容易になり、またランドセル１が前後方向に変形することが防止される。
【００６２】
また間仕切りボード２４の高さを袋本体２１の内部空間Ｎの高さの同等以上とすれば、袋本体２１がたるまず、袋本体２１が上下方向に延びた状態が維持される。このため、袋本体２１内への物品を出し入れをより容易に行える（つまり、袋本体２１がたるむことで、袋本体２１内への物品を出し入れが困難になることを回避できる）。
【００６３】
また間仕切りボード２４を構成する袋材４１にポケットＰが設けられることで、間仕切りボード２４を、物品の保持手段としても使用できる。このため間仕切りボード２４の有効活用が図られ、袋本体２１に収容する物品をより一層整理できる。
【００６４】
本考案は、上記実施形態に示すものに限定されず、種々改変することができる。
【００６５】
例えば、ポケットＰを形成するために使用されるシートＳの形状は、上記実施形態に示した矩形に限定されない。例えば、シートＳは、矩形以外の多角形（三角形や五角形）や、円形や楕円形に形成されたものであってもよい。シートＳが上記のような形状を呈していたとしても、シートＳの外周の一部を袋材４１に接合し、シートＳの外周の残部を袋材４１に接合しないようにすれば、前記外周の残部側から、シートＳの内面と袋材４１の外面との間に物品を入れることができる。またシートＳが上記の形状を呈する場合でも、シートＳを透明な塩化ビニールから形成できる。
【００６６】
また、ポケットＰを形成する方法は、上述したシートＳを用いる方法に限定されない。例えば、袋材４１の外面に、ポケットを構成する袋を接合することによっても、袋材４１の外面にポケットを形成できる。
【００６７】
また、ポケットの数は、上記実施形態に示した５に限定されず、１又は任意の複数とされ得る（すなわち袋材４１の外面には、少なくとも１つのポケットが設けられ得る）。
【００６８】
または間仕切りボード２４から袋材４１を省略して、間仕切りボード２４を板材４０のみから構成してもよい。また間仕切りボード２４を省略してもよい。
【００６９】
また上記実施形態では、表地３１、持ち手２３の一端及び他端、芯材２２、帯材３３を、この順序で重ね合わされて縫合することで、持ち手２３や芯材２２や帯材３３を固定する例を示したが、表地３１、芯材２２、持ち手２３の一端及び他端、帯材３３の順序で重ね合わせて縫合が行われてもよい。或いは、芯材２２や持ち手２３の一端及び他端や帯材３３を裏地３２に縫合してもよい（この場合、表地３１と裏地３２との間において、裏地３２、持ち手２３の一端及び他端、芯材２２、帯材３３となる順序の重ね合わせや、裏地３２、芯材２２、持ち手２３の一端及び他端、帯材３３となる順序の重ね合わせが行われる）。或いは、帯材３３を省略して、芯材２２や持ち手２３の一端及び他端を、表地３１及び裏地３１の一方又は双方に縫合することで、芯材２２や持ち手２３を固定してもよい（（つまり、芯材２２や持ち手２３の一端及び他端は、表地３１と裏地３２とのうち少なくとも1方に固定されればよい）。なおいずれの場合も、コンピューターミシンによる縫合で芯材２２や持ち手２３を固定できる。
【００７０】
また芯材２２や持ち手２３や帯剤３３は省略されてもよい。
【００７１】
また上記実施形態では、袋本体２１が、表地３１及び裏地３２からなる２層構造を有する例を示したが、袋本体２１は単一の生地からなるものであってもよく、或いは、袋本体２１は３枚以上の生地を重ね合わせたものであってもよい。上記いずれの場合も、袋本体２１を形成するための生地として、ポリエステル、ナイロン、或いは綿の生地を使用できる。
【００７２】
また本考案の袋が内部に収容され得るランドセルは、図１に示すランドセル１に限定されない。本考案の袋は、収容部が前壁・後壁・左壁・右壁・底壁から構成されている一般的な構造のランドセルに広く適用できる。
【符号の説明】
【００７３】
１  ランドセル、
２０  袋、
２１  袋本体、
２２  芯材、
２３  持ち手、
２４  間仕切りボード、
２５  前面部、
２６  後面部、
２７  側面部、
３１  表地、
３２  裏地、
４０  板材、
４１  袋材、
Ｇ  ゴムバンド、
Ｌ１  袋本体の上下方向の高さ、
Ｌ２  袋本体の左右方向の幅、
Ｌ３  袋本体の前後方向の幅、
Ｌ４  持ち手の長さ、
Ｐ１，Ｐ２，Ｐ３，Ｐ４，Ｐ５  ポケット、
Ｓ１，Ｓ２，Ｓ３，Ｓ４，Ｓ５  シート
【図１】
0003214833.tif 000003
【図２】
0003214833.tif 000004
【図３】
0003214833.tif 000005
【図４】
0003214833.tif 000006
【図５】
0003214833.tif 000007
【図６】
0003214833.tif 000008
【図７】
0003214833.tif 000009